(57)【要約】　　　（修正有）【課題】ウォータマークが付されているマテリアルアイテムを高い確率で特定でき、見逃し確率を下げる。【解決手段】オリジナルマテリアルアイテムのコピーに所定のコードワードの組のうちの１つのコードワードを導入し、オリジナルマテリアルアイテムのウオータマークが付されたバージョンを生成する。コードワードは、シード値により初期化される疑似乱数生成器により生成される。シード値は、このシード値により生成されたコードワードから、ウオータマークが付されたマテリアルアイテムを特定するために使用される。ウォータマークが付されたマテリアルアイテムからコードワードを再生し、コードワードの組内の全てのコードワードと再生されたコードワードとを相関させ、ウォータマークが付されたマテリアルアイテムの特定のコピーを検出する。【選択図】　図１
2004040751.tif 000002
【特許請求の範囲】
【請求項１】
オリジナルマテリアルの各サンプルに、それぞれ対応する各コードワード係数を結合することにより生成された、オリジナルマテリアルアイテムのウォータマークが付されたバージョン内に存在する１つ以上の所定のコードワードの組を識別する検出データ処理装置において、
上記オリジナルマテリアルアイテムのウォータマークが付されたバージョンのサンプルを、上記対応するコードワード係数が結合されたオリジナルマテリアルアイテムの対応するサンプルに関連付ける登録プロセッサと、
上記オリジナルマテリアルアイテムのサンプルと、上記ウォータマークが付されたバージョンの対応するサンプルとを比較することにより、コードワードを再生し、再生コードワードを生成する再生プロセッサと、
上記所定のコードワードの組における各コードワードについて、上記再生コードワードと生成されたコードワードとを相関させることにより相関値を生成する相関プロセッサと、
所定の閾値を超えるコードワードの相関値に基づいて、１つ以上のコードワードを検出する検出プロセッサとを備える検出データ処理装置。
【請求項２】
上記登録プロセッサは、
上記オリジナルマテリアルアイテムのサンプルと上記ウォータマークが付されたバージョンのサンプルについて、該オリジナルマテリアルアイテムのサンプルの該ウォータマークが付されたバージョンに対する各シフト毎に相関値を算出し、
上記各シフトのうち、最も高い相関値を示すシフトから上記オリジナルマテリアルアイテムにおける、上記ウォータマークが付されたバージョンに対する第１の登録位置を判定し、
上記オリジナルマテリアルアイテム及び上記ウォータマークが付されたバージョンをオーバサンプリングし、
上記オリジナルマテリアルアイテムのサンプルと上記ウォータマークが付されたバージョンのオーバサンプリングされたバージョンについて、上記第１の登録位置に対する各シフト毎に相関値を算出し、
上記オーバサンプリングされたバージョンの各シフトのうち、最も高い相関値を示すシフトから第２の登録位置を判定することを特徴とする請求項１記載の検出データ処理装置。
【請求項３】
上記登録プロセッサは、
上記第２の登録位置について、上記オリジナルマテリアルアイテムの各サンプルと上記ウォータマークが付されたバージョンの対応する各サンプルとの間の差分を算出し、
上記差分を所定の閾値と比較して、該差分が該閾値を超えているとき、該登録されたウォータマークが付されたバージョンのサンプルを上記オリジナルマテリアルアイテムの対応するサンプルに置換することを特徴とする請求項１又は２記載の検出データ処理装置。
【請求項４】
上記相関プロセッサは、再生コードワード係数を生成するための疑似乱数を生成するコードワード生成器を備え、該疑似乱数は、上記ウォータマークが付されたバージョンのサンプルに基づいて生成されるシード値から生成されることを特徴とする請求項１乃至３いずれか１項記載の検出データ処理装置。
【請求項５】
上記コードワードは、離散コサイン変換領域においてマテリアルアイテムに導入され、当該検出データ処理装置は、
上記ウォータマークが付されたバージョンとオリジナルマテリアルアイテムとを離散コサイン変換領域に変換する離散コサイン変換プロセッサを備え、上記再生プロセッサは、上記オリジナルマテリアルアイテムの離散コサイン変換係数から、上記ウォータマークが付されたバージョンの対応する離散コサイン変換係数を減算することにより、上記再生コードワードを生成することを特徴とする請求項１乃至４いずれか１項記載の検出データ処理装置。
【請求項６】
オリジナルマテリアルアイテムのコピーに所定のコードワードの組のうちの１つのコードワードを導入することにより、該オリジナルマテリアルアイテムの少なくとも１つのウォータマークが付されたバージョンを生成する符号化データ処理装置において、
上記コードワードの所定の組から複数のコードワード係数を有するコードワードを生成するコードワード生成器と、
上記オリジナルマテリアルアイテムの対応する複数のサンプルに上記各コードワード係数を結合し、上記ウォータマークが付されたバージョンを生成する符号化プロセッサとを備え、
上記コードワードは、該コードワードに固有に関連付けられているシード値によって初期化される疑似乱数生成器を用いて生成され、上記コードワード係数は、該疑似乱数生成器によって生成された数値から生成されることを特徴とする符号化データ処理装置。
【請求項７】
上記コードワード生成器は、上記マテリアルアイテムのサンプルから上記シード値を生成することを特徴とする請求項６記載の符号化データ処理装置。
【請求項８】
上記マテリアルアイテムを離散コサイン変換領域に変換する離散コサイン変換プロセッサと、
上記離散コサイン変換領域のマテリアルアイテムは、複数の離散コサイン係数によって表現され、上記符号化プロセッサは、上記コードワード係数と対応する離散コサイン変換係数の１つとを加算することにより、上記コードワード係数と上記マテリアルアイテムとを結合し、該符号化プロセッサによって上記コードワードが加算された上記離散コサイン変換された画像を逆離散コサイン変換することにより、上記マテリアルアイテムのウォータマークが付されたバージョンを生成する逆離散コサイン変換プロセッサとを備える請求項６又は７記載の符号化データ処理装置。
【請求項９】
オーディオ信号及び画像信号のうちの少なくとも１つが供給され、複写処理の前に該オーディオ信号及び画像信号のうちの少なくとも１つにコードワードを導入する請求項６乃至８いずれか１項記載の符号化データ処理装置を備える映写装置。
【請求項１０】
インターネットを介してダウンロードされるマテリアルアイテムを提供するウェブサーバであって、該マテリアルアイテムがダウンロードされる前に該マテリアルアイテムが供給され、該マテリアルアイテムにコードワードを導入する請求項６乃至８いずれか１項記載の符号化データ処理装置を備えるウェブサーバ。
【請求項１１】
マテリアルアイテムの受信者を特定する受信者特定システムにおいて、
上記受信者を固有に特定するシード値から生成されたコードワードをマテリアルアイテムに導入することにより、ウォータマークが付されたマテリアルアイテムを生成する請求項６乃至８いずれか１項記載の符号化データ処理装置と、
上記マテリアルアイテムにおけるコードワードの有無を検出することにより、所定の誤検出確率で該マテリアルアイテムの受信者を検出する請求項１乃至６いずれか１項記載の検出データ処理装置とを備える受信者特定システム。
【請求項１２】
オリジナルマテリアルの各サンプルに、それぞれ対応する各コードワード係数を結合することにより生成された、オリジナルマテリアルアイテムのウォータマークが付されたバージョン内に存在する１つ以上の所定のコードワードの組を識別する識別方法において、
上記オリジナルマテリアルアイテムのウォータマークが付されたバージョンのサンプルを、上記対応するコードワード係数が結合されたオリジナルマテリアルアイテムの対応するサンプルに関連付けるステップと、
上記オリジナルマテリアルアイテムのサンプルと、上記ウォータマークが付されたバージョンの対応するサンプルとを比較することにより、コードワードを再生し、再生コードワードを生成するステップと、
上記所定のコードワードの組における各コードワードについて、上記再生コードワードと生成されたコードワードとを相関させることにより相関値を生成するステップと、
所定の閾値を超えるコードワードの相関値に基づいて、１つ以上のコードワードを検出するステップとを有する識別方法。
【請求項１３】
オリジナルマテリアルアイテムのコピーに所定のコードワードの組のうちの１つのコードワードを導入することにより、該オリジナルマテリアルアイテムの少なくとも１つのウォータマークが付されたバージョンを生成するウォータマーク付加方法において、
上記コードワードの所定の組から複数のコードワード係数を有するコードワードを生成するステップと、
上記オリジナルマテリアルアイテムの対応する複数のサンプルに上記各コードワード係数を結合し、上記ウォータマークが付されたバージョンを生成するステップとを有し、
上記コードワードを生成するステップは、
上記コードワードに固有に関連付けられているシード値によって疑似乱数生成器を初期化するステップと、
上記疑似乱数生成器によって生成された数値から上記コードワード係数を生成するステップとを有することを特徴とするウォータマーク付加方法。
【請求項１４】
請求項６乃至８いずれか１項記載の符号化データ処理装置によってコードワードが付加されたマテリアルアイテムを表すデータ信号。
【請求項１５】
請求項１４記載のデータ信号が記録されたデータ媒体。
【請求項１６】
データプロセッサにロードされて、該データプロセッサを請求項１乃至５いずれか１項記載の検出データ処理装置又は請求項６乃至８いずれか１項記載の符号化データ処理装置として動作させるコンピュータにより実行可能な命令を提供するコンピュータプログラム。
【請求項１７】
データプロセッサにロードされて、該データプロセッサに請求項１２又は１３記載の方法を実行させるコンピュータにより実行可能な命令を提供するコンピュータプログラム。
【請求項１８】
請求項１６又は１７記載のコンピュータプログラムを表す情報信号が記録されているコンピュータにより読取可能な媒体を備えるコンピュータプログラム製品。
【請求項１９】
マテリアルアイテムを表す信号を受信する受信装置であって、請求項６乃至８いずれか１項記載の符号化データ処理装置を備え、受信信号を固有に識別する少なくとも１つのコードワードを該受信信号に結合する受信装置。
【請求項２０】
添付の図面を参照して以下に説明する検出データ処理装置又は符号化データ処理装置。
【請求項２１】
添付の図面を参照して以下に説明する識別方法又はウォータマーク付加方法。
【発明の詳細な説明】
【０００１】
【発明の属する技術分野】
本発明は、マテリアルアイテムのバージョンにコードワード（ｃｏｄｅ　ｗｏｒｄｓ）を埋め込む符号化データ処理装置及び方法に関する。幾つかの用途においては、コードワードは、マテリアルアイテムを識別するために使用される。これに対応して、本発明は、マテリアルアイテムに埋め込まれた１つ以上のコードワードを検出するデータ処理装置及び方法に関する。
【０００２】
【従来の技術】
マテリアルを識別するために、マテリアルに情報を埋め込む処理は、ウォータマーキング処理と呼ばれる。
【０００３】
識別コードワードは、マテリアルアイテムのバージョンを識別するために、マテリアルアイテムのバージョンに埋め込まれる。すなわち、ウォータマーキング処理により、マテリアルの特定のバージョンの受信者を特定することができる。ここで、マテリアルの配信者の意向にそぐわない形でマテリアルがコピー又は使用された場合、配信者は、識別コードワードからマテリアルのバージョンを特定し、適切な対策を講ずることができる。
【０００４】
この明細書においては、マテリアルの供給者、所有者、作成者又は配信者の意向にそぐわない形でコピー又は使用されたマテリアルアイテムを、便宜的にマテリアルのオフェンディングアイテム（ｏｆｆｅｎｄｉｎｇ　ｉｔｅｍ）又はオフェンディングマテリアル（ｏｆｆｅｎｄｉｎｇ　ｍａｔｅｒｉａｌ）と呼ぶ。
【０００５】
マテリアルは、ビデオマテリアル、オーディオマテリアル、オーディオ／ビデオマテリアル、ソフトウェアプログラム、デジタル文書及びいかなる種類の情報を含むマテリアル（ｉｎｆｏｒｍａｔｉｏｎ　ｂｅａｒｉｎｇ　ｍａｔｅｒｉａｌ）のいずれであってもよい。
【０００６】
ウォータマークの仕組みを成功させるためには、ユーザが識別コードを除去することが可能な限り困難である必要がある。また、ユーザが識別コードを変更し、マテリアルのオフェンディングアイテムの作成者を他人にみせかけることも可能な限り困難である必要がある。このようなユーザによるコードワードのマスク又はコードワードが他のユーザを示すようにするような改竄は、コルージョンアタック（ｃｏｌｌｕｓｉｏｎ　ａｔｔａｃｋ）と呼ばれる。
【０００７】
【発明が解決しようとする課題】
全てのウォータマークの仕組みにおいて、同じマテリアルのコピーを受け取ったユーザがコルージョンアタックに成功することが困難となるようにする必要がある。したがって、ウォータマークの仕組みは、コルージョンアタックの対象となったウォータマークが付されているマテリアルアイテムを高い確率で特定できるものである必要がある。この特定は、オフェンディングマテリアルから再生されたコードワードを識別することにより実現される。一方、コードワードが存在するのにコードワードが存在しないと判定してしまう確率（見逃し確率：ｆａｌｓｅ　ｎｅｇａｔｉｖｅ　ｐｒｏｂａｂｉｌｉｔｙ）は、低くなくてはならない。更に、実際にはコルージョンアタックに加担していないユーザを誤って不正行為を行ったユーザであると判定してしまう確率（誤検出確率：ｆａｌｓｅ　ｐｏｓｉｔｉｖｅ　ｐｒｏｂａｂｉｌｉｔｙ）は、可能な限り低くしなくてはならない。
【０００８】
米国特許第５６６４０１８号は、マテリアルから複数のコピーに所定数の係数を有するコードワードから作成されたデジタルウォータマークを付すウォータマーキング処理を開示している。ウォータマークが付されるマテリアルアイテムは、例えば画像である。ここで開示されているウォータマークの埋込を行う装置は、画像を離散コサイン変換（Ｄｉｓｃｒｅｔｅ　Ｃｏｓｉｎｅ　Ｔｒａｎｓｆｏｒｍ：以下、ＤＣＴという。）領域に変換する。デジタルウォータマークは、正規分布を有し、ランダムに分布した係数の組から構成されている。ＤＣＴ領域において、それぞれ各ＤＣＴ係数に対応する各コードワード係数が付加される。これに関連する文献である１９９８年７月２７日、ＭＩＴから発行された、ジェイ・キリアン（Ｊ．Ｋｉｌｉａｎ）、エフ・ティー・レイトン（Ｆ．Ｔ．Ｌｅｉｇｈｔｏｎ）著、「コルージョンアタックに対するデジタルウォータマークの保護（Ｒｅｓｉｓｔａｎｃｅ　ｏｆ　Ｄｉｇｉｔａｌ　Ｗａｔｅｒｍａｒｋｓ　ｔｏ　Ｃｏｌｌｕｓｉｏｎ　Ａｔｔａｃｋｓ）」には、アタックを防ぐためのこのウォータマーキング処理の詳細な数学的解析が開示されている。
【０００９】
【課題を解決するための手段】
本発明の第１の側面として、本発明は、オリジナルマテリアルアイテムのウォータマークが付されたバージョン内に存在する１つ以上の所定のコードワードの組を識別する検出データ処理装置を提供する。ウォータマークが付されたバージョンは、オリジナルマテリアルの複数の各サンプルに、それぞれ対応する各コードワード係数を結合することにより生成される。検出データ処理装置は、オリジナルマテリアルアイテムのウォータマークが付されたバージョンのサンプルを、対応するコードワード係数が結合されたオリジナルマテリアルアイテムの対応するサンプルに関連付ける登録プロセッサを備える。検出データ処理装置は、更に、オリジナルマテリアルアイテムのサンプルと、ウォータマークが付されたバージョンの対応するサンプルとを比較することにより、コードワードを再生し、再生コードワードを生成する再生プロセッサと、所定のコードワードの組における各コードワードについて、再生コードワードと生成されたコードワードとを相関させることにより相関値を生成する相関プロセッサと、所定の閾値を超えるコードワードの相関値に基づいて、１つ以上のコードワードを検出する検出プロセッサとを備える。
【００１０】
本発明の第２の側面として、本発明は、オリジナルマテリアルアイテムのコピーに所定のコードワードの組のうちの１つのコードワードを導入することにより、オリジナルマテリアルアイテムの少なくとも１つのウォータマークが付されたバージョンを生成する符号化データ処理装置を提供する。符号化データ処理装置は、コードワードの所定の組から複数のコードワード係数を有するコードワードを生成するコードワード生成器を備える。更に、符号化データ処理装置は、オリジナルマテリアルアイテムの対応する複数のサンプルに各コードワード係数を結合し、ウォータマークが付されたバージョンを生成する符号化プロセッサを備える。コードワード生成器は、疑似乱数生成器を備える。コードワード生成器は、コードワードに固有に関連付けられているシード値によって疑似乱数生成器を初期化し、疑似乱数生成器によって生成された数値からコードワードを生成する。
【００１１】
本発明は、米国特許第５６６４０１８号に開示されているような、ランダムに分布した係数を有するコードワードを利用した現実的なウォータマークシステムを提供することを目的とする。本発明では、検出データ処理装置及び符号化データ処理装置の一部を構成する疑似乱数生成器を用いる。疑似乱数生成器はシード値を用い、シード値は、疑似乱数生成器が生成する数値のシーケンスを決定する。シード値は、このシード値から生成されたコードワードが埋め込まれたウォータマークが付されたマテリアルアイテムのバージョンに固有に関連付けられている。したがって、このシード値により、ウォータマークが付されたマテリアルアイテムのバージョンを容易に特定することができる。
【００１２】
本発明に基づく検出データ処理装置は、登録プロセッサを備える。登録プロセッサにより、検出データ処理装置の性能が更に高くなる。マテリアルアイテムのウォータマークが付されたバージョンをマテリアルアイテムのオリジナルコピーに対応させて登録することにより、コードワードの存在を検出できる確率が高くなり、見逃し確率（ｆａｌｓｅ　ｎｅｇａｔｉｖｅ　ｐｒｏｂａｂｉｌｉｔｙ）を下げることができる。これは、ウォータマークが付されたマテリアルアイテムのサンプルは、オリジナルマテリアルアイテムのサンプルに対応する可能性が高いため、コードワードを再生できる確率が高くなるからである。
【００１３】
本発明の好ましい具体例においては、コードワードのシード値は、オリジナルマテリアルアイテムのサンプルの値から導出される。これにより、各コードワードに対するシード値を、符号化データ処理装置と検出データ処理装置との間で送受する必要がなくなる。
【００１４】
本発明の更なる側面及び特徴は、添付の請求の範囲において定義されている。
【００１５】
【発明の実施の形態】
ウォータマークシステムの概観
以下、本発明の実施の形態をビデオ画像の保護に関連させて説明する。ビデオ画像を配信すべきユーザの数によりコピーの数が決定する。各コピーには、これらのユーザのうちの１人に割り当てられたコピーを識別するための識別コードワード（ｉｄｅｎｔｉｆｉｃａｔｉｏｎ　ｃｏｄｅ　ｗｏｒｄ）が付加される。
【００１６】
ビデオ画像は、デジタルコードワードを埋め込むことにより保護されるマテリアルの一具体例である。コードワードを埋め込むことにより保護されるマテリアルは、ビデオ画像の他に、ソフトウェアプログラム、デジタル文書、音楽、オーディオ信号及び他のいかなる種類の情報を含むマテリアルであってもよい。
【００１７】
図１は、オリジナル画像のコピーに識別コードワードを導入する符号化画像処理装置（ｅｎｃｏｄｉｎｇ　ｉｍａｇｅ　ｐｒｏｃｅｓｓｉｎｇ　ａｐｐａｒａｔｕｓ）の具体的構成を示すブロック図である。オリジナル画像Ｉは、ソースから供給され、フレームメモリ１に保存される。このオリジナル画像は、ウォータマークが付された複数のコピーとして複写される（ｒｅｐｒｏｄｕｃｅ）ものであり、各コピーには、固有の識別コードワードが付される。オリジナル画像は、ＤＣＴプロセッサ２に供給され、ＤＣＴプロセッサ２は、オリジナル画像を８×８の画素ブロックに分割し、８×８の各画素ブロックにＤＣＴ処理を施す。これにより、ＤＣＴプロセッサ２は、ＤＣＴ変換画像Ｖを生成する。
【００１８】
以下の説明において、「サンプル」という用語は、画像（又は、実際には他の種類のマテリアルであってもよい。）を構成する離散サンプルを指すものとする。サンプルは、画素からも複写することができる画像の輝度サンプルであってもよい。したがって、サンプルという用語と画素という用語は、状況によっては交換可能である場合もある。
【００１９】
ＤＣＴ画像Ｖは、符号化プロセッサ（以下、エンコーダともいう。）４に供給される。符号化プロセッサ４には、識別コードワード生成器８から識別コードワードも供給されている。
【００２０】
識別コードワード生成器８には、複数のシード値（ｓｅｅｄ）が供給される。各シード値は、それぞれ対応する識別コードワードの１つを生成するために使用される。生成された各識別コードワードは、オリジナル画像のコピーに埋め込まれ、これによりウォータマークが付された画像が生成される。識別コードワード生成器８は、疑似乱数生成器を備える。疑似乱数生成器は、特定の識別コードワードを形成するためのコードワード係数を生成する。好ましい具体例においては、コードワード係数は、正規分布に基づいて生成される。なお、これに代えて、コードワード係数は、疑似乱数生成器を初期化するために用いるシード値に基づいて、予め定めてもよい。したがって、各識別コードワードには、対応するシード値が存在し、各シード値は、メモリ１２に記憶されている。すなわち、識別コードワードＸｉを生成するために、シード値ｓｅｅｄｉをメモリ１２から読み出し、このシード値ｓｅｅｄｉを用いて、識別コードワード生成器８内の疑似乱数生成器を初期化する。
【００２１】
以下の説明では、オリジナル画像のＤＣＴバージョンをＶと表す。ここで、
Ｖ＝｛ｖｉ｝＝｛ｖ１，ｖ２，ｖ３，ｖ４，・・・，ｖＮ｝
であり、ｖｉは、画像のＤＣＴ係数である。他の具体例においては、ｖｉは、画像のサンプル値であり、空間領域における画像のサンプル値又は他の領域における画像のサンプル値を表すものであってもよい。
【００２２】
各識別コードワードＸｉは、以下のように、ｎ個のコードワード係数から構成されている。
Ｘｉ＝｛ｘｉｊ｝＝｛ｘｉ１，ｘｉ２，ｘｉ３，ｘｉ４，・・・，ｘｉｎ｝
コードワード係数の数ｎは、オリジナル画像Ｖのサンプル数に対応する。なお、係数の数は異なるものであってもよく、この数は、特定のアプリケーションに応じて決定してもよい。
【００２３】
そして、ｉ番目の識別コードワードＸｉを構成するコードワード係数のベクトルは、チャンネル１４を介してエンコーダ４に供給される。エンコーダ４は、画像Ｖに識別コードワードＸｉを付加することにより、ウォータマークが付された画像Ｗｉを生成する。実際には、以下の式に示すように、画像の各係数に各コードワード係数を加えることにより、ウォータマークが付された画像Ｗｉが生成される。
Ｗｉ＝Ｖ＋Ｘｉ
Ｗｉ＝ｖ１＋ｘｉ１，ｖ２＋ｘｉ２，ｖ３＋ｘｉ３，ｖ４＋ｘｉ４，・・・，ｖｎ＋ｘｉｎ
図１に示すように、ウォータマークが付された画像Ｗｉは、エンコーダ４により生成された画像を逆ＤＣＴ変換する逆ＤＣＴプロセッサ１８によって、逆ＤＣＴ変換された後、この画像処理装置から出力される。
【００２４】
したがって、図１に示すように、エンコーダ４からは、ウォータマークが付された画像の組が出力される。データワードを最大２０ビットとすると、一千万個の識別コードワードの１つを選択することができ、オリジナル画像に対して、一千万個のウォータマークが付されたバージョンＷｉを生成することができる。
【００２５】
この識別コードワードにより、画像Ｉのウォータマークが付されたコピーＷｉを個別に識別することができるが、他の具体例においては、上述の２０ビットにより、画像内でデータを送ることができる。したがって、以下に説明するように、識別コードワードを選択するために使用される２０ビットは、画像Ｖ内でデータを送るための２０ビットのペイロードを提供する。
【００２６】
図１に示す、ウォータマークが付された画像を生成する符号化画像処理装置は、本発明が適用される様々な異なるシナリオにおいて、様々な製品に組み込まれる。例えば、符号化画像処理装置をウェブサイト又はウェブサーバに接続して、ウォータマークが付された画像をダウンロードすることができる。画像のコピーをダウンロードする前に、ダウンロードされる画像には固有のコードワードが導入され、この固有のコードワードにより、ダウンロードされた画像の受信者を後に検出することができる。
【００２７】
他の適用例では、符号化画像処理装置は、デジタル映写機（ｄｉｇｉｔａｌ　ｃｉｎｅｍａ　ｐｒｏｊｅｃｔｏｒ）の一部として組み込まれ、識別コードワードは、例えば映画館において、映画を映写する際に、映像に付加される。この識別コードワードにより、映画が映写された映写機及び映画館を特定することができる。したがって、映写機から映写された映像を撮影して得られた海賊版コピーに含まれる識別コードワードにより、その海賊版コピーが作成された映写機及び映画館を特定することができる。一方、ウォータマークが付された画像は、写真又は印刷物として複写されてもよく、複写された写真又は印刷物のコピーを作成及び配布してもよい。図１においては、符号化画像処理装置によって生成されるウォータマークが付された画像の配信先は、雲形の枠で表現された配信１９で示されている。
【００２８】
検出プロセッサ
図２は、ウォータマークが付されたオフェンディング画像（ｏｆｆｅｎｄｉｎｇ　ｍａｒｋｅｄｉｍａｇｅ）内に埋め込まれている１つ以上のコードワードを検出する検出画像処理装置（ｄｅｔｅｃｔｉｎｇ　ｉｍａｇｅ　ｐｒｏｃｅｓｓｉｎｇ　ａｐｐａｒａｔｕｓ）の構成を示すブロック図である。包括的にいえば、図２に示す検出画像処理装置は、画像のオフェンディング、すなわちコピー内に存在する１つ以上のコードワードを識別する機能を有している。
【００２９】
ウォータマークが付された画像のオフェンディングバージョンＷ’は、データ源から供給され、フレームメモリ２０に保存される。この検出画像処理装置における検出処理は、画像のオリジナルバージョンを必要とするため、フレームメモリ２４には、画像のオリジナルバージョンが保存されている。ウォータマークが付された画像のオフェンディングバージョンＷ’及び画像のオリジナルバージョンは、それぞれ個別の接続チャンネル２６、２８を介して、登録プロセッサ（ｒｅｇｉｓｔｒａｔｉｏｎ　ｐｒｏｃｅｓｓｏｒ）３０に供給される。
【００３０】
上述のように、画像のオフェンディングバージョンＷ’は、ウォータマークが付された画像Ｗｉの一部を撮影又は複写することにより生成された可能性がある。そこで、識別コードワードの検出率を高めるために、登録プロセッサ３０は、それぞれフレームメモリ２０、２４に保存されているオフェンディング画像と画像のオリジナルバージョンとを実質的に揃える（ａｌｉｇｎ）。この目的は、オリジナル画像のサンプルＩと、ウォータマークが付され、コードワード係数が付加されている対応する画像Ｗｉのサンプルとの対応関係を調べることである。
【００３１】
この登録処理を図３を用いて説明する。図３は、オリジナル画像Ｉとウォータマークが付された画像のオフェンディングバージョンＷ’とを比較して示している。図３に示すように、ウォータマークが付された画像のオフェンディングバージョンＷ’は、オリジナル画像に対してオフセットを有しており、このオフセットは、ウォータマークが付された画像のオフェンディングバージョンが生成されたカメラの相対的な視野に起因する可能性がある。
【００３２】
コードワード係数の表現を再生するために、ウォータマークが付された画像のオフェンディングバージョンＷ’からオリジナル画像の正しいサンプルを減算する必要がある。この処理のために、２つの画像が揃えられる。図３に示すように、登録された画像Ｗ”は、オリジナル画像には存在しない部分を含む周辺領域（ｐｅｒｉｐｈｅｒａｌ　ａｒｅａ）ＰＡを有している。
【００３３】
他の具体例では、例えばインターネットからオフェンディングバージョンがダウンロードされた場合等、オフェンディング画像Ｗ’と既にオリジナル画像のバージョンＩとの対応関係が明かであることがあり、このような場合、登録プロセッサ３０を使用する必要はない。そこで、この検出画像処理装置は、ウォータマークが付された画像を再生プロセッサ４０に直接供給するための代替的なチャンネル３２を備えている。
【００３４】
登録された画像Ｗ”は、再生プロセッサ４０に供給される。再生プロセッサ４０には、第２のチャンネル４４を介して、オリジナル画像Ｉのコピーも供給される。登録された画像Ｗ”及びオリジナル画像Ｉは、ＤＣＴプロセッサ４６によって、ＤＣＴ領域に変換される。次に、以下の式に示すように、オリジナル画像のＤＣＴ領域のサンプルＶからウォータマークが付された画像のＤＣＴ領域のサンプルＶ’を減算することにより、推定コードワードＸ’が算出される。
2004040751.tif 000003
したがって、再生プロセッサ４０は、接続チャンネル５０を介して、識別すべきコードワードの係数の推定値を出力する。再生されたコードワードＸ’は、相関器５２の第１の入力端子に供給される。相関器５２の第２の入力端子には、コードワード生成器５４によって生成されたコードワードＸｉが供給されている。コードワード生成器５４は、上述の識別コードワード生成器８と同様に、メモリ５８から読み出したコードワードを固有に識別する所定のシード値を用いて全ての可能なコードワードの組を生成する。
【００３５】
相関器５２は、ｎ個の類似値ｓｉｍ（ｉ）を生成する。一具体例においては、類似値ｓｉｍ（ｉ）は、以下の式に基づく相関を求めることにより算出される。
【００３６】
【数１】
2004040751.tif 000004
【００３７】
ｎ個の類似値ｓｉｍ（ｉ）のそれぞれは、検出器６０に供給される。そして、検出器６０は、ｎ個の可能なコードワードのそれぞれに対する類似値ｓｉｍ（ｉ）を分析する。相関器５２によって生成される類似値ｓｉｍ（ｉ）の具体例と、可能な各コードワードの閾値ＴＨとの関係を図４に示す。図４に示すように、２つのコードワード２００１、１２３４５が閾値ＴＨを超えている。このため、検出器６０は、コードワード２００１及びコードワード１２３４５に対応するウォータマークが付された画像のバージョンからオフェンディング画像が作成されたと判定する。したがって、この具体例においては、一千万である母集団の大きさにより決定される誤検出確率（ｆａｌｓｅ　ｐｏｓｉｔｉｖｅ　ｐｒｏｂａｂｉｌｉｔｙ）と、ウォータマーク強度（ｗａｔｅｒｍａｒｋｉｎｇ　ｓｔｒｅｎｇｔｈ）とに基づいて、誤検出確率を保証する閾値ＴＨの高さを設定することができる。図４に示す具体例では、相関器５２によって生成された類似値が閾値を超えている場合、この誤検出確率をもって、このウォータマークが付された画像の受信者が不正行為を行い、ウォータマークが付された画像のオフェンディングバージョンＷｉの作成に関与したと判断される。
【００３８】
以下、図１及び図２に示すウォータマークシステムの特徴及び利点を説明する。
【００３９】
登録
ウォータマークが付された画像のオフェンディングバージョンと、オリジナル画像のコピーとを揃える処理は、オリジナル画像のサンプルと、ウォータマークが付された画像のサンプルとの相関を調べる処理を含む。この相関処理は、画像の各サンプルを異なるシフト量でシフトさせて実行される。この処理を図５を用いて説明する。図５Ａは、オリジナル画像の離散サンプルを示し、図５Ｂは、ウォータマークが付されたオフェンディング画像Ｗ’の離散サンプルを示している。図５Ａ及び図５Ｂに示すように、各サンプル間の時間差は、サンプリングレートにより定まるｄｔである。これらの画像の各サンプルの組をシフトし、離散サンプルを相関させた結果を図５Ｃに示す。
【００４０】
図５Ｃに示すように、第６サンプルと第７サンプルの間のシフトにおいて、相関ピークが最も高くなっている。なお、サンプル間を結ぶ連続的な曲線ＣＬで示すように、オリジナル画像Ｉとウォータマークが付されたオフェンディング画像Ｗ’との間の実際のピークシフトは、第６サンプルと第７サンプルの間の一点にある。
【００４１】
好ましい具体例においては、登録プロセッサ３０は、第１の登録位置の検出の後、この第１の登録位置に対してより精密な第２の位置を検出する。この目的で、登録プロセッサ３０は、図６に示すような動作を行う。図６Ａ及び図６Ｂは、オリジナル画像Ｉとウォータマークが付されたオフェンディング画像Ｗ’とを示しており、これらの画像は、２倍のサンプリングレートでオーバサンプリングされている。したがって、連続するサンプル間の時間差は、ｄｔ／２である。図６Ｃから分かるように、オリジナル画像Ｉとウォータマークが付されたオフェンディング画像Ｗ’のオーバサンプリングバージョン間の相関のピーク値は、第１２サンプルの位置にあり、この位置は、相関出力値のピークの位置に略々対応している。このように、登録プロセッサ３０は、オリジナル画像Ｉとウォータマークが付されたオフェンディング画像Ｗ’のオーバサンプリングバージョンに対して第２の登録処理を実行することにより、２つの画像に対するより精密な登録を行うことができる。
【００４２】
図２に示す登録プロセッサ３０を用いる更なる利点について、図７を用いて説明する。図７は、図３を参照して説明した処理により作成された登録画像Ｗ”をオリジナル画像と比較して示す図である。ウォータマークが付されたオフェンディング画像Ｗ”内のコードワードを検出できる確率を高めるために、周辺領域ＰＡとして示されている、ウォータマークが付された画像におけるオリジナル画像には存在しない部分は、オリジナル画像の対応する領域によって置換される。この処理は、オリジナル画像のサンプルと、ウォータマークが付されたオフェンディング画像のサンプルとの間の差分絶対値和を比較し、この値が所定の閾値を超えているとき、オフェンディング画像のサンプルをオリジナル画像の対応するサンプルに単純に置き換えることにより行われる。これにより、相関器５２と検出器６０が協働して実行する検出処理が著しく向上する。仮に、オリジナル画像には存在しない、ウォータマークが付された画像の周辺領域ＰＡがコードワード係数の再生に使用された場合、これらの係数は、コードワードの再生されたバージョンに相関関係を有さない。これらの係数は大きな値を生成し、相関値の総和である類似値ｓｉｍ（ｉ）における重大な雑音となってしまう。このため、検出器６０において、閾値ＴＨを超えるコードワードを検出し、正しいコードワードを特定できる確率が低下する。一方、上述のように、オフェンディング画像の部分をオリジナル画像の対応する部分に置換し、対応する相関項を効果的にゼロに設定することにより、見逃し確率（ｆａｌｓｅ　ｎｅｇａｔｉｖｅ　ｐｒｏｂａｂｉｌｉｔｙ）を下げることがことができる。
【００４３】
コードワード生成
コードワードを生成するために使用される乱数のシード値をソース画像サンプルから生成することにより、図１及び図２に示す本発明の具体例の性能を更に高めることができる。この処理は、ウォータマークを付すべき画像のＤＣＴ係数を分析し、これらのＤＣＴ係数から、コードワードを生成するために使用するシード値を生成することにより実現される。この処理には、例えば、当業者にとって周知の「セキュアハッシュアルゴリズム１（ｓｅｃｕｒｅ　ｈａｓｈｉｎｇ　ａｌｇｏｒｉｔｈｍ　１：ｓｈａ−１）」を用いることができる。このアルゴリズムは、ＡＮＳＩ規格（ＡＮＳＩｘ９．３０−２）に規定されている。このアルゴリズムは、エー・ジェイ・メネゼス（Ａ．Ｊ．Ｍｅｎｅｚｅｓ）著「応用暗号学ハンドブック（Ｈａｎｄｂｏｏｋ　ｏｆ　ａｐｐｌｉｅｄ　ｃｒｙｐｔｏｇｒａｐｈｙ）」にも開示されている。これにより、符号化画像処理装置及び検出画像処理装置は、ＤＣＴ係数から乱数のシード値を生成及び判定することができる。
【００４４】
他の適用例
ウォータマークシステムの符号化データ処理装置は、上述した映写機及びウェブサーバに加えて、他の用途にも適用することができる。例えば、本発明は、通信装置から信号を受信し、この受信した信号にコードワードを導入することにより情報にウォータマークを付す受信機／デコーダにも適用することができる。例えば、セットトップボックスは、放送の「ヘッドエンド」機器又はマルチキャスト機器からテレビジョン及びビデオ信号を受信する。このような適用例では、符号化データ処理装置は、セットトップボックスの一部を構成し、信号を受信及びデコードする際にビデオ信号にウォータマークコードワードを導入する。一具体例においては、このウォータマークコードワードは、ビデオ信号を受信及びデコードしたセットトップボックスを固有に特定する。
【００４５】
更に、本発明は、衛星からデジタル映画データ（ｄｉｇｉｔａｌ　ｃｉｎｅｍａ　ｆｉｌｍ）を受信するデジタル映画受信機にも適用することができる。このデジタル映画受信機は、デジタル映画を表す信号を受信し、この信号をデコードしてデジタル映画を再生する。この受信機は、デコードされた映画信号にウォータマークコードワードを導入する符号化データ処理装置を備える。ウォータマークコードワードは、例えば、デジタル映画データを受信したデジタル映画受信機を固有に特定する。
【００４６】
更に、本発明は、メモリ及びメモリコントローラを備えるデジタルカメラ又はカムコーダ等にも適用することができる。この適用例では、本発明に係る符号化データ処理装置は、メモリに記憶されているウォータマークコードワードをデジタルカメラ等によって撮影されたビデオ信号に導入する。この適用例においては、コードワードは予めメモリに記憶されており、したがって、符号化データ処理装置は、コードワード生成器を備えていない。メモリに記憶されているコードワードは、メモリコントローラの制御の下、ビデオ信号に埋め込まれ、これによりビデオ信号を固有に又は疑似固有的（ｑｕａｓｉ−ｕｎｉｑｕｅｌｙ）に特定する。
【００４７】
更なる具体例においては、本発明に基づく符号化データ処理装置は、連続的な画像又は動画を構成する複数の異なるデジタル画像のフレームのそれぞれに一連のウォータマークコードワードを個別に埋め込む。これらのコードワードは、互いに関連性を有していてもよく、これらのコードワードにより、各フレームに対応する画像を個別に識別することができるようになる。
【００４８】
本発明の更なる様々な側面及び特徴は、添付の請求の範囲において定義されている。この請求の範囲から逸脱することなく、上述した実施の形態を様々に変更することができる。
【図面の簡単な説明】
【図１】符号化画像処理装置の構成を示すブロック図である。
【図２】検出画像処理装置の構成を示すブロック図である。
【図３】図３Ａはオリジナル画像を示し、図３Ｂはウォータマークが付された画像を示し、図３Ｃは登録された画像を示す図である。
【図４】Ｎ個のコードワードの組の各コードワードに関する相関結果の具体例を示すグラフ図である。
【図５】図５Ａはオリジナル画像Ｉのサンプルに対応するグラフ図であり、図５Ｂはウォータマークが付された画像Ｗ’に対応するグラフ図であり、図５Ｃはオリジナル画像とウォータマークが付された画像との離散サンプルシフト毎の相関結果を示すグラフ図である。
【図６】図６Ａはオリジナル画像Ｉのオーバサンプリングされたバージョンに対応するグラフ図であり、図６Ｂはウォータマークが付された画像Ｗ’のオーバサンプリングされたバージョンに対応するグラフ図であり、図６Ｃはオーバサンプリングされたオリジナル画像とウォータマークが付された画像との離散サンプルシフト毎の相関結果を示すグラフ図である。
【図７】ウォータマークが付された画像におけるオリジナル画像には存在しない部分をオリジナル画像の対応する部分に置換する登録画像の前処理を説明する図である。
【図１】
2004040751.tif 000005
【図２】
2004040751.tif 000006
【図３】
2004040751.tif 000007
【図４】
2004040751.tif 000008
【図５】
2004040751.tif 000009
【図６】
2004040751.tif 000010
【図７】
2004040751.tif 000011
【外国語明細書】
2004040751.tif 000012
2004040751.tif 000013
2004040751.tif 000014
2004040751.tif 000015
2004040751.tif 000016
2004040751.tif 000017
2004040751.tif 000018
2004040751.tif 000019
2004040751.tif 000020
2004040751.tif 000021
2004040751.tif 000022
2004040751.tif 000023
2004040751.tif 000024
2004040751.tif 000025
2004040751.tif 000026
2004040751.tif 000027
2004040751.tif 000028
2004040751.tif 000029
2004040751.tif 000030
2004040751.tif 000031
2004040751.tif 000032
2004040751.tif 000033
2004040751.tif 000034
2004040751.tif 000035
2004040751.tif 000036
2004040751.tif 000037
2004040751.tif 000038
2004040751.tif 000039
2004040751.tif 000040
2004040751.tif 000041
2004040751.tif 000042
2004040751.tif 000043
2004040751.tif 000044
2004040751.tif 000045
2004040751.tif 000046
2004040751.tif 000047
2004040751.tif 000048
2004040751.tif 000049
2004040751.tif 000050
2004040751.tif 000051
2004040751.tif 000052
2004040751.tif 000053
2004040751.tif 000054
2004040751.tif 000055